(57)【要約】【課題】雰囲気中に放置しておいても、各識別端子の半田濡れ特性が悪化したり、各識別端子の接触抵抗が高くなることを防ぐ。【解決手段】各識別端子１６，１７の全体に半田メッキを施してから、金メッキを各識別端子１６，１７の先端近傍に施している。このため、相互に接触する識別端子１６の先端と識別端子１７の凸部間の接触抵抗が高くなることはなく、３０ｍΩ以下に維持される。また、識別端子１６の脚部及び識別端子１７の脚部は、金メッキを施されず、半田メッキのみを施されている。このため、この光電共用伝送装置１１を放置しておいても、半田メッキされた各識別端子１６，１７の脚部１６の半田濡れ特性が悪化することはなく、この光電共用伝送装置１１を基板上に実装するときに、各識別端子１６，１７の脚部を容易に半田付けすることができる。【選択図】図１
2004087386.tif 000002
【特許請求の範囲】
【請求項１】
丸型光プラグ及び単頭式電気プラグのいずれかを選択的に挿入するための差し込み孔を有する本体と、本体の差し込み孔に挿入された丸型光プラグとの間で光信号を授受する光半導体素子と、本体の差し込み孔に挿入された単頭式電気プラグと電気接触する各端子と、本体の差し込み孔に挿入された丸型光プラグ及び単頭式電気プラグのいずれかにより押されて相互に接触する一対の識別端子とを少なくとも備えるプラグジャック式光電共用伝送装置において、外部に接続される各識別端子の接続部を少なくとも半田メッキし、相互に接触する各識別端子の接触部を金メッキしたことを特徴とするプラグジャック式光電共用伝送装置。
【請求項２】
半田メッキを各識別端子の全体に施してから、金メッキを各識別端子の接触部のみに施したことを特徴とする請求項１に記載のプラグジャック式光電共用伝送装置。
【請求項３】
金メッキは、フラッシュメッキであることを特徴とする請求項２に記載のプラグジャック式光電共用伝送装置。
【請求項４】
相互に接触した各識別端子間の抵抗値が３０ｍΩ以下であることを特徴とする請求項１記載のプラグジャック式光電共用伝送装置。
【請求項５】
請求項１に記載のプラグジャック式光電共用伝送装置を備えることを特徴とする電子機器。
【発明の詳細な説明】
【０００１】
【発明の属する技術分野】
本発明は、オーディオ機器や情報端末装置等の入出力用のプラグジャック式光電共用伝送装置及びそれを備える電子機器に関する。
【０００２】
【従来の技術】
この種のプラグジャック式光電共用伝送装置は、オーディオ機器や情報端末装置等の電子機器に設けられ、丸型光プラグ及び単頭式電気プラグのいずれをも差し込むことが可能である。この光電共用伝送装置では、丸型光プラグ及び単頭式電気プラグのいずれかを選択的に挿入するための差し込み孔を有しており、丸型光プラグが挿入されると、電子機器外部に対する光信号を授受し、単頭式電気プラグが挿入されると、電子機器内部と外部間の電気信号の入出力経路を設定する。
【０００３】
例えば、プラグジャック式光電共用伝送装置をオーディオ機器に適用すれば、この光電共用伝送装置の差し込み孔に丸型光プラグや単頭式電気プラグを選択的に挿入することにより、光信号を授受したり、デジタル電気信号の入出力経路やアナログ電気信号の入出力経路を設定することが可能になる。
【０００４】
【発明が解決しようとする課題】
ところで、プラグジャック式光電共用伝送装置は、丸型光プラグ及び単頭式電気プラグのいずれが差し込み孔に挿入されたかを識別するために、一対の識別端子を差し込み孔に設けている。これらの識別端子は、単頭式電気プラグが差し込み孔に挿入されると該単頭式電気プラグにより押されて相互に接触し、また丸型光プラグが差し込み孔に挿入されても相互に接触しない。従って、これらの識別端子が接触したか否かに応じて、プラグの識別を行うことができる。このプラグの識別を確実に行うには、各識別端子が接触したときの相互間の接触抵抗を３０ｍΩ以下に抑える必要があり、各識別端子に銀メッキを施していた。
【０００５】
しかしながら、銀メッキを雰囲気中に放置しておくと、その表面の硫化が進行する。このため、光電共用伝送装置を電子機器の基板に実装せずに、光電共用伝送装置を放置しておくと、各識別端子の銀メッキ表面の硫化が進行してしまって、各識別端子表面の半田濡れ特性が悪化し、光電共用伝送装置を実装することができなくなった。あるいは、各識別端子の接触抵抗が高くなり、プラグの識別を確実に行えなくなった。
【０００６】
そこで、本発明は、上記従来の問題点に鑑みてなされたものであり、雰囲気中に放置しておいても、各識別端子の半田濡れ特性が悪化したり、各識別端子の接触抵抗が高くならずに済むプラグジャック式光電共用伝送装置及びそれを備える電子機器を提供することを目的とする。
【０００７】
【課題を解決するための手段】
上記課題を解決するために、本発明は、丸型光プラグ及び単頭式電気プラグのいずれかを選択的に挿入するための差し込み孔を有する本体と、本体の差し込み孔に挿入された丸型光プラグとの間で光信号を授受する光半導体素子と、本体の差し込み孔に挿入された単頭式電気プラグと電気接触する各端子と、本体の差し込み孔に挿入された丸型光プラグ及び単頭式電気プラグのいずれかにより押されて相互に接触する一対の識別端子とを少なくとも備えるプラグジャック式光電共用伝送装置において、外部に接続される各識別端子の接続部を少なくとも半田メッキし、相互に接触する各識別端子の接触部を金メッキしている。
【０００８】
この様な構成の本発明によれば、各識別端子の接続部を少なくとも半田メッキし、相互に接触する各識別端子の接触部を金メッキしている。このため、光電共用伝送装置を放置しておいても、半田メッキされた各識別端子の接続部の半田濡れ特性が悪化することはない。また、金メッキを雰囲気中に放置しておいても、金メッキが硫化したり酸化することはないので、金メッキされた各識別端子の接触部の接触抵抗が高くならずに済む。
【０００９】
また、本発明においては、半田メッキを各識別端子の全体に施してから、金メッキを各識別端子の接触部のみに施している。そして、金メッキは、フラッシュメッキである
この場合は、半田メッキ表面に金メッキを施すことになり、金メッキを薄く形成する。このため、金の使用量を節減することができる。
【００１０】
更に、本発明においては、相互に接触した各識別端子間の抵抗値が３０ｍΩ以下である。
【００１１】
この様な各識別端子間の抵抗値の設定により、丸型光プラグ及び単頭式電気プラグのいずれが差し込み孔に挿入されたかを確実に識別することができる。
【００１２】
一方、本発明の電子機器は、本発明のプラグジャック式光電共用伝送装置を備えている。
【００１３】
すなわち、本発明は、プラグジャック式光電共用伝送装置に限定されるものではなく、このプラグジャック式光電共用伝送装置を適用した電子機器を包含する。この電子機器は、オーディオ機器、ＤＶＤ、ＶＴＲ、ＣＤ等の再生装置、受像装置等であり、光信号及び電気信号を共に入出力するのであれば、如何なる種類のものであっても構わない。
【００１４】
【発明の実施の形態】
以下、本発明の実施形態を添付図面を参照して詳細に説明する。
【００１５】
図１乃至図４は、本発明のプラグジャック式光電共用伝送装置の一実施形態を示す図である。図１は本実施形態の光電共用伝送装置１１の側面図であり、図２は光電共用伝送装置１１の底面図であり、図３は平面図であり、図４は正面図である。
【００１６】
図１乃至図４に示す様に光電共用伝送装置１１は、丸型光プラグ及び単頭式電気プラグのいずれかを選択的に挿入するための差し込み孔１２を本体１３に設け、光半導体素子（図示せず）を差し込み孔１２の奥に配し、各端子１４、各端子１５、及び一対の識別端子１６，１７を本体１３に設けている。丸型光プラグを差し込み孔１２に差し込んだときには、丸型光プラグと差し込み孔１２奥の光半導体素子間で光信号が授受され、光信号に対応する電気信号が各端子１４を通じて入出力される。また、単頭式電気プラグを差し込み孔１２に差し込んだときには、単頭式電気プラグが各端子１５に接触し、電気信号が単頭式電気プラグ及び各端子１５を通じて入出力される。
【００１７】
例えば、光電共用伝送装置１１を設けたオーディオ機器においては、丸型光プラグを差し込み孔１２に差し込むと、オーディオ機器と外部間の光信号の授受が光電共用伝送装置１１で行われ、単頭式電気プラグを差し込み孔１２に差し込むと、デジタル電気信号やアナログ電気信号の入出力経路が光電共用伝送装置１１を通じて設定される。
【００１８】
ところで、一方の識別端子１６は、図５に示す様に屈曲されており、その屈曲部１６ａを差し込み孔１２に僅かに侵入させた状態で、その支持部１６ｂを本体１３に固定され、その脚部１６ｃを本体１３から突出されている。また、他方の識別端子１７は、図６に示す様に屈曲されており、その先端の凸部１７ａを識別端子１６の先端１６ｄに対向配置された状態で、その支持部１７ｂを本体１３に固定され、その脚部１７ｃを本体１３から突出されている。
【００１９】
ここで、単頭式電気プラグが差し込み孔１２に差し込まれたときには、単頭式電気プラグが識別端子１６の屈曲部１６ａに接触し、この識別端子１６の屈曲部１６ａが単頭式電気プラグにより押されて他方の識別端子１７側に移動し、識別端子１６の先端１６ｄが識別端子１７先端の凸部１７ａに接触する。また、丸型光プラグが差し込み孔１２に差し込まれたときには、丸型光プラグが識別端子１６の屈曲部１６ａに接触せず、識別端子１６が識別端子１７に接触することもない。従って、各識別端子１６，１７が接触しているか否かにより、単頭式電気プラグ及び丸型光プラグのいずれが差し込み孔１２に差し込まれたかを識別することができる。このプラグの識別を確実に行うには、各識別端子１６，１７が接触したときの相互間の接触抵抗を３０ｍΩ以下に抑える必要がある。
【００２０】
そこで、本実施形態では、各識別端子１６，１７の全体に半田メッキを施してから、金メッキを図５に示す識別端子１６の先端１６ｄを含む範囲Ａに施すと共に、金メッキを図６に示す識別端子１７の凸部１７ａを含む範囲Ｂに施している。この金メッキは、雰囲気中に放置されても、硫化したり酸化することがない。このため、相互に接触する識別端子１６の先端１６ｄと識別端子１７の凸部１７ａ間の接触抵抗が高くなることはなく、３０ｍΩ以下に維持される。金メッキとして、フラッシュメッキを適用すれば、金のメッキ層を薄くすることができ、金の使用量を低減することができる。
【００２１】
また、識別端子１６の脚部１６ｃ及び識別端子１７の脚部１７ｃは、金メッキを施されず、半田メッキのみを施されている。このため、この光電共用伝送装置１１を放置しておいても、半田メッキされた各識別端子１６，１７の脚部１６ｃ，１７ｃの半田濡れ特性が悪化することはなく、この光電共用伝送装置１１を基板上に実装するときに、各識別端子１６，１７の脚部１６ｃ，１７ｃを容易に半田付けすることができる。
【００２２】
尚、本発明は、上記実施形態に限定されるものではなく、多様に変形することができる。例えば、各識別端子の形状を変更しても良い。あるいは、単頭式電気プラグが差し込まれたときに相互に接触せず、丸型光プラグが差し込まれたときに相互に接触する一対の識別端子であっても良い。
【００２３】
また、本発明は、プラグジャック式光電共用伝送装置に限定されるものではなく、このプラグジャック式光電共用伝送装置を適用した電子機器を包含する。この電子機器は、オーディオ機器、ＤＶＤ、ＶＴＲ、ＣＤ等の再生装置、受像装置等であり、光信号及び電気信号を共に入出力するのであれば、如何なる種類のものであっても構わない。
【００２４】
【発明の効果】
以上説明した様に本発明によれば、各識別端子の接続部を少なくとも半田メッキし、相互に接触する各識別端子の接触部を金メッキしている。このため、光電共用伝送装置を放置しておいても、半田メッキされた各識別端子の接続部の半田濡れ特性が悪化することはない。また、金メッキを雰囲気中に放置しておいても、金メッキが硫化したり酸化することはないので、金メッキされた各識別端子の接触部の接触抵抗が高くならずに済む。
【００２５】
また、半田メッキ表面に金メッキを施したり、フラッシュメッキを施しているので、金メッキを薄く形成することができ、金の使用量を節減することができる。
【図面の簡単な説明】
【図１】本発明のプラグジャック式光電共用伝送装置の一実施形態を示す側面図である。
【図２】本実施形態のプラグジャック式光電共用伝送装置を示す底面図である。
【図３】本実施形態のプラグジャック式光電共用伝送装置を示す平面図である。
【図４】本実施形態のプラグジャック式光電共用伝送装置を示す正面図である。
【図５】本実施形態のプラグジャック式光電共用伝送装置における一方の識別端子を示す側面図である。
【図６】本実施形態のプラグジャック式光電共用伝送装置における他方の識別端子を示す側面図である。
【符号の説明】
１１　　プラグジャック式光電共用伝送装置
１２　　差し込み孔
１３　　本体
１４，１５　　端子
１６，１７　　識別端子
【図１】
2004087386.tif 000003
【図２】
2004087386.tif 000004
【図３】
2004087386.tif 000005
【図４】
2004087386.tif 000006
【図５】
2004087386.tif 000007
【図６】
2004087386.tif 000008